(57)【要約】【課題】地毛が伸びても外観の影響が少なく、また、手軽に行うことができる増毛方法及び増毛作業支援冶具を提供する。【解決手段】増毛作業支援冶具２は、ターゲットとなる地毛ＧＭの周りに生えている周囲地毛を寝かせるための抑え部材１０と、地毛ＧＭの先端側部分ＧＭ２に対して係合する係合部材２０と、地毛ＧＭに対して係合するフック部材３０と、を備える。抑え部材１０には、地毛ＧＭが挿通されるための開口１０Ｘが形成される。係合部材２０は、板状に形成されるものであり、抑え部材１０のＸ方向端部からＺ方向に向かって突出するように伸びる。係合部材２０は、Ｚ方向及びＹ方向に延びる長方形状に形成される。Ｚ方向における係合部材２０の高さＨ２０は、先端側部分ＧＭ２が係合した際、被塗布部分ＧＭ１が起立する程度であればよい。【選択図】図１
2020169422.tif 000002
【特許請求の範囲】
【請求項１】
地毛のうち、毛根側に設定され接着剤が塗布される部分を被塗布部分と、前記被塗布部分よりも先端側に位置する先端側部分と定義した際、
ターゲット地毛の被塗布部分が起立するように前記ターゲット地毛の先端側部分に対して係合する係合部材を備えたことを特徴とする増毛作業支援冶具。
【請求項２】
前記ターゲット地毛の周りに生えている周囲地毛を寝かす周囲地毛寝かせ部材を備え、
前記係合部材は、前記周囲地毛寝かせ部材の上部から上方へ向かって突出することを特徴とする請求項１記載の増毛作業支援冶具。
【請求項３】
前記周囲地毛寝かせ部材は、頭の上に載置される載置板を備え、
前記載置板には前記ターゲット地毛が挿通する開口が形成されることを特徴とする請求項１または２記載の増毛作業支援冶具。
【請求項４】
前記周囲地毛寝かせ部材は、頭の上に載置される載置板を備え、
前記載置板には前記ターゲット地毛が挿通する開口が形成され、
前記開口の稜線が前記被塗布部分の識別子であることを特徴とする請求項３項記載の増毛作業支援冶具。
【請求項５】
前記開口の縁部が作業者の目線から退避するように、前記縁部の端面が斜めに形成されることを特徴とする請求項１ないし４のうちいずれか１項記載の増毛作業支援冶具。
【請求項６】
前記係合部材は、前記地毛に対して係合するフック部材を備えることを特徴とする請求項１ないし５のうちいずれか１項記載の増毛作業支援冶具。
【請求項７】
請求項１ないし６のうちいずれか１項記載の増毛作業支援冶具を用いて、前記ターゲット地毛の前記被塗布部分に接着剤を塗布することを特徴とする増毛方法。
【請求項８】
地毛のうち、毛根側に設定され接着剤が塗布される部分を被塗布部分と、前記被塗布部分よりも先端側に位置する先端側部分と定義した際、
ターゲット地毛の先端側部分に対して係合する係合部材を用いて、前記ターゲット地毛の被塗布部分を起立する起立ステップと、
前記被塗布部分に接着剤を塗布する接着剤塗布ステップと、
前記被塗布部分に塗布された前記接着剤に対し、人毛又は人口毛を接着させる接着ステップと、を備えることを特徴とする増毛方法。
【請求項９】
前記ターゲット地毛の周りに生えている周囲地毛を寝かす抑えステップを備えることを特徴とする請求項８記載の増毛方法。
【請求項１０】
前記起立ステップでは、前記係合部材に設けられたフック部材に対して前記地毛を係合させることを備えることを特徴とする請求項８または９記載の増毛方法。
【発明の詳細な説明】
【技術分野】
【０００１】
本発明は、増毛作業支援冶具及び増毛方法に関する。
【背景技術】
【０００２】
従来から、自毛に対して増毛や美粧のための毛材の接着が行われているが、この接着作業においては、多数の自毛のできるだけ根部に近い位置に逐次手作業で毛材の接着を行う必要があり、しかも、接着する毛材自体が非常に細いものであって、接着作業に困難性を伴うため、多数本の接着には長時間を必要とした。そこで、地毛に対し増毛用の毛髪を結びつける方法が開発された（例えば、特許文献１）。  
【先行技術文献】
【特許文献】
【０００３】
【特許文献１】特許第３２１００８１号公報
【発明の概要】
【発明が解決しようとする課題】
【０００４】
しかしながら、地毛が伸びると、結び目が先端側に移動する結果、結び目が目立つようになってしまう。これを回避するためには、増毛のやり直しが必要となる。結果、特許文献１の方法もまた、手軽な方法とは言えない。
【０００５】
本発明は、斯かる実情に鑑み、地毛が伸びても外観の影響が少なく、また、手軽に行うことができる増毛方法及び増毛作業支援冶具を提供しようとするものである。
【課題を解決するための手段】
【０００６】
本発明の増毛作業支援冶具は、地毛のうち、毛根側に設定され接着剤が塗布される部分を被塗布部分と、前記被塗布部分よりも先端側に位置する先端側部分と定義した際、ターゲット地毛の被塗布部分が起立するように前記ターゲット地毛の先端部に対して係合する係合部材を備えたことを特徴とする。
【０００７】
本発明の増毛方法は、上記の増毛作業支援冶具を用いて、前記ターゲット地毛の前記被塗布部分に接着剤を塗布することを特徴とする。
【０００８】
また、本発明の増毛方法は、地毛のうち、毛根側に設定され接着剤が塗布される部分を被塗布部分と、前記被塗布部分よりも先端側に位置する先端側部分と定義した際、ターゲット地毛の先端部に対して係合する係合部材を用いて、前記ターゲット地毛の被塗布部分を起立する起立ステップと、前記被塗布部分に接着剤を塗布する接着剤塗布ステップと、前記被塗布部分に塗布された前記接着剤に対し、人毛又は人口毛を接着させる接着ステップと、を備えることを特徴とする。
【発明の効果】
【０００９】
本発明によれば、地毛が伸びても外観の影響が少なく、また、手軽に行うことができる増毛方法及び増毛作業支援冶具を提供することができる。
【図面の簡単な説明】
【００１０】
【図１】第１の増毛作業支援冶具の概要を示す斜視図である。
【図２】増毛作業支援冶具の概要を示す断面図である。
【図３】フック部材の概要を示す拡大図である。
【図４】増毛方法のフローチャートである。
【図５】第２の増毛作業支援冶具の概要を示す斜視図である。
【発明を実施するための形態】
【００１１】
以下、説明の便宜上、水平面内における任意の方向をＸ方向とし、水平面内における任意の方向のうちＸ方向と直交する方向をＹ方向とし、水平面に直交する方向をＺ方向とする。また、地毛ＧＭのうち、毛根側に設定され接着剤が塗布される部分を被塗布部分ＧＭ１と、被塗布部分ＧＭ１よりも先端側に位置する先端側部分ＧＭ２と定義する。
【００１２】
図１〜２に示すように、増毛作業支援冶具２は、ターゲットとなる地毛ＧＭの周りに生えている周囲地毛を寝かせるための抑え部材１０と、地毛ＧＭの先端側部分ＧＭ２に対して係合する係合部材２０と、地毛ＧＭに対して係合するフック部材３０と、を備える。
【００１３】
抑え部材１０は、頭部に載置するためのものであり、板状に形成される。抑え部材１０は、Ｘ方向及びＹ方向に延びる長方形状に形成される。抑え部材１０には、地毛ＧＭを挿通するための開口１０Ｘが形成される。開口１０Ｘの形成位置は、ターゲットとなる地毛ＧＭの先端側部分ＧＭ２が係合部材２０に係合できるようになっていればよい。これにより、ターゲットとなる地毛ＧＭとそれ以外の地毛との分離が確実に行えるため、増毛作業の効率が向上する。
【００１４】
また、開口１０Ｘの縁部のうち、作業者側の端面ＦＭが垂直になっていると、作業者の目線ＭＬ上において、開口１０Ｘの縁部が毛根ＭＫを遮ることとなってしまう。そこで、毛根ＭＫを通る作業者の目線ＭＬから退避するように、端面ＦＭは、斜めになっていることが好ましい。これにより、作業者は、地毛ＧＭの毛根ＭＫが視認しやすくなるため、増毛作業の効率が向上する。
【００１５】
係合部材２０は、板状に形成されるものであり、抑え部材１０のＸ方向端部からＺ方向に向かって突出するように伸びる。係合部材２０は、Ｚ方向及びＹ方向に延びる長方形状に形成される。Ｚ方向における係合部材２０の高さＨ２０は、先端側部分ＧＭ２が係合した際、被塗布部分ＧＭ１が起立する程度であればよい。被塗布部分ＧＭ１は、目的に応じて適宜設定すればよいが、例えば、毛根ＭＫから５ｍｍ以下であることが好ましい。また、開口１０Ｘは、Ｘ方向よりもＹ方向へ長くのびていることが好ましい。例えば、開口１０Ｘの長さは、Ｘ方向において１ｍｍ〜２ｍｍ、Ｙ方向において３ｃｍ〜６ｃｍであることが好ましく、４ｃｍ〜４．５ｃｍであることがより好ましい。これにより、開口１０Ｘを通った地毛ＧＭが、係合部材２０の上端部において互いに重ならなりにくくなるため、増毛作業の効率が向上する。このため、開口１０Ｘは、Ｙ方向に細長くのびることが好ましい。
【００１６】
また、抑え部材１０は、被塗布部分ＧＭ１の識別子を有することが好ましい。本実施形態では、開口１０Ｘの縁部のうち作業者と反対側の稜線１０ＸＳが被塗布部分ＧＭ１の識別子となる。なお、図２では、上側の稜線１０ＸＳを被塗布部分ＧＭ１の識別子としたが、本発明はこれに限られず、下側の稜線を被塗布部分ＧＭ１の識別子としてもよいし、開口１０Ｘの縁部に識別子となるような目盛りや印などを適宜設けてもよい。
【００１７】
フック部材３０は、係合部材２０の上部に設けられることが好ましい。フック部材３０は、係合部材２０に係合した地毛ＧＭが係合できるものであればよい。フック部材３０として、例えば、フック部Ｆを有する面ファスナーを用いることが好ましい（図３）。
【００１８】
図１に示すように、抑え部材１０と係合部材２０の連結部分において、Ｙ方向両端側に横スリットＳＬが形成されていることが好ましい。また、横スリットＳＬからヘアピンＨＰを挿入して、抑え部材１０及び周囲地毛を挟み込むことができる。
【００１９】
次に、増毛作業支援冶具２を用いた増毛方法１００について説明する。
【００２０】
図４に示すように、増毛方法１００は、増毛作業支援冶具２の位置合わせを行う位置合わせステップＳ１１０と、ターゲットとなる地毛ＧＭを開口１０Ｘに通す通しステップＳ１２０と、ターゲットとなる地毛ＧＭの周りに生えている周囲地毛を抑えるように、頭部に増毛作業支援冶具２を載置する載置ステップＳ１３０と、ターゲットとなる地毛ＧＭの被塗布部分ＧＭ１を起立させる起立ステップＳ１４０と、被塗布部分ＧＭ１に接着剤を塗布する接着剤塗布ステップＳ１５０と、被塗布部分ＧＭ１に塗布された接着剤に対し、人毛又は人口毛を接着させる接着ステップＳ１６０と、を備える。
【００２１】
位置合わせステップＳ１１０では、ターゲットとなる地毛ＧＭに開口１０Ｘが重なるように、頭部における増毛作業支援冶具２の位置合わせを行う。
【００２２】
通しステップＳ１２０では、ターゲットとなる地毛ＧＭを開口１０Ｘに通す。なお、通しステップＳ１２０は、載置ステップＳ１３０よりも後に行ってもよいが、作業的には、載置ステップＳ１３０より前に行うことが好ましい。
【００２３】
載置ステップＳ１３０では、位置合わせステップＳ１１０において設定した位置に、増毛作業支援冶具２を載置する。これにより、ターゲットとなる地毛ＧＭが開口１０Ｘに通った状態で、地毛ＧＭの周りに生えている周囲地毛を寝かすことができる。また、横スリットＳＬからヘアピンを挿入して、抑え部材１０及び周囲地毛を挟み込む。これにより、頭部から増毛作業支援冶具２が固定されるため、作業効率の向上とともに、増毛作業支援冶具２の脱落防止を実現できる。
【００２４】
起立ステップＳ１４０では、係合部材２０の上端に地毛ＧＭの先端側部分ＧＭ２を載せる。これにより、先端側部分ＧＭ２が係合部材２０と係合するため、根元側の被塗布部分ＧＭ１が起立する。このとき、先端側部分ＧＭ２がフック部材３０と係合することで、Ｙ方向における先端側部分ＧＭ２の位置決めが可能となる。これにより、先端側部分ＧＭ２の不用意な移動がなくなるため、根元側の被塗布部分ＧＭ１の姿勢が安定する結果、接着剤塗布ステップＳ１５０と接着ステップＳ１６０の作業効率が向上する。
【００２５】
接着剤塗布ステップＳ１５０では、被塗布部分ＧＭ１に接着剤を塗布する。接着剤としては、公知の接着剤（例えば、アイラッシュ用国産エチルグルー等）が使用できる。接着剤を塗布する道具としては、公知の道具を使用できる。
【００２６】
被塗布部分ＧＭ１に接着剤を塗布する際、開口１０Ｘの稜線１０ＸＳを被塗布部分ＧＭ１の識別子として利用することが好ましい。すなわち、作業者から見て、毛根ＭＫと開口１０Ｘの稜線１０ＸＳの間を接着剤塗布領域として設定し、当該領域に接着剤を塗布することが好ましい。これにより、各地毛において、接着剤の塗布位置を揃えることができる。
【００２７】
接着ステップＳ１６０では、被塗布部分ＧＭ１に対し、人毛又は人口毛を接着する。ターゲットとなる地毛ＧＭに対する接着ステップＳ１６０が終わったら、新たなターゲットとなる地毛ＧＭに対し、位置合わせステップＳ１１０から接着ステップＳ１６０を行う。これを繰り返すことにより、所望の地毛に対し、人毛又は人口毛を接着する接着作業を行うことができる。
【００２８】
上記実施形態では、抑え部材１０と、係合部材２０及びフック部材３０が一体化した増毛作業支援冶具２を用いたが、本発明はこれに限られず、各部材が別体となってもよい。
【００２９】
上記実施形態では、フック部材３０として、例えば、フック部Ｆを有する面ファスナーを用いたが、本発明はこれに限られず、地毛に対して粘着性を有する材料から係合部材２０を形成してもよい。地毛に対して粘着性を有する材料としては、シリコン樹脂等がある。
【００３０】
上記実施形態では、抑え部材１０に開口１０Ｘを形成したが、本発明はこれに限られない。例えば、図５に示す増毛作業支援冶具２は、抑え部材１０において開口１０Ｘが形成されていない。この場合において、抑え部材１０の端面の稜線１０ＸＳが、被塗布部分ＧＭ１の識別子となる。
【００３１】
尚、本発明は、上記した実施の形態に限定されるものではなく、本発明の要旨を逸脱しない範囲内において種々変更を加え得ることは勿論である。
【符号の説明】
【００３２】
２     増毛作業支援冶具
１０   抑え部材
１０Ｘ 開口
１０ＸＳ      稜線
２０   係合部材
３０   フック部材
ＧＭ１ 被塗布部分
Ｆ     フック部
ＦＭ   端面
ＧＭ   地毛
ＧＭ１ 被塗布部分
ＧＭ２ 先端側部分
ＭＫ   毛根
ＭＬ   目線
１００ 増毛方法
Ｓ１１０      位置決めステップ
Ｓ１２０      通しステップ
Ｓ１３０      載置ステップ
Ｓ１４０      起立ステップ
Ｓ１５０      接着剤塗布ステップ
Ｓ１６０      接着ステップ
【図１】
2020169422.tif 000003
【図２】
2020169422.tif 000004
【図３】
2020169422.tif 000005
【図４】
2020169422.tif 000006
【図５】
2020169422.tif 000007